(57)【要約】【課題】従来の資料作成は再利用できる部分を探し出すまでに多くの労力を必要とした。【解決手段】ネットワーク１０５上に資料作成支援サーバ１０１と資料作成用端末１０２（１０３）を設け、利用者に対し、資料作成支援サーバ１０１は資料の構成を決定付ける条件の選択肢を提示する。さらに、利用者の選択した条件に応じて、資料として記載すべき項目（フレームワーク）と利用できる資料の中味（実体）の候補を決定して、それらを関連付けた最適なフレームワークと再利用できる実体を提示する。この結果により、利用者が作成した資料ファイルを資料作成支援サーバ１０１で受信し、フレームワークと実体、及びその関連付けの情報をもとに資料ファイルを分解、分類し、資料作成者が新たに作成、追加した部分を再利用できる形式でデータベース１０４に蓄積する。【選択図】図１
2006190142.tif 000002
【特許請求の範囲】
【請求項１】
資料作成支援サーバが資料作成者の使用する資料作成用端末に情報を提供して資料作成を支援する資料作成支援方法であって、
前記資料作成支援サーバが前記資料作成用端末に対し資料の構成を決定付ける条件の選択肢を提示し、その資料として記載すべき項目であるフレームワークと該フレームワークに対し資料の中味である実体の候補を格納したデータベースから、前記資料作成用端末で選択された条件に対応する前記フレームワークと前記実体を決定し、その結果をフレームワークとその実体を関連付けた文書構造を持つデータファイルとして前記資料作成用端末に提供することを特徴とする資料作成支援方法。
【請求項２】
請求項１において、前記条件は資料の種別や性格を示すものである資料作成支援方法。
【請求項３】
請求項１または２において、提供されたデータファイルを基に利用者が作成した資料ファイルを受信し、フレームワークと実体及びその関連付けの情報をもとに資料ファイルを分解、分類し、資料作成者が新たに作成し、追加した部分を再利用できる形式でデータベースに蓄積することを特徴とする資料作成支援方法。
【請求項４】
資料作成者が使用する資料作成用端末に情報を提供して資料作成を支援する資料作成支援サーバであって、
前記資料作成用端末に対し、資料の構成を決定付ける条件の選択肢を格納したデータベースを有し、前記資料作成用端末に提示するための資料作成条件表示機能と、その資料として記載すべき項目であるフレームワークと該フレームワークに対する資料の中味である実体の候補を格納したデータベースから、資料作成者が選択した条件に対応する前記フレームワークと前記実体を決定し、その結果をフレームワークとその実体を関連付けた文書構造を持つデータファイルとして前記資料作成用端末に提示するための資料候補生成機能を設けたことを特徴とする資料作成支援サーバ。
【請求項５】
請求項４において、前記文書構造を持つデータファイルが提示する実体に修正が必要な場合に、資料作成者が修正して編集した新たな実体を含めたデータファイルを前記資料作成用端末から受信して先のデータファイルと差し替える資料編集機能を設けることを特徴とする資料作成支援サーバ。
【請求項６】
請求項４または５において、資料作成者が選択または修正したデータファイルを前記資料作成用端末から受信し、該データファイルに保持されている文書構造を基に、資料作成者が修正した新たな実体を分類してデータベースに再利用可能に蓄積する資料登録機能を設けることを特徴とする資料作成支援サーバ。
【請求項７】
請求項１乃至３の何れかに記載の資料作成支援方法において、
前記資料作成支援サーバは資料作成者のＩＤ、パスワードにより前記資料作成用端末からのログインを受け付け、資料の構成を決定付ける条件の選択肢やフレームワークとその実体を関連付けたデータファイルを前記資料作成用端末に提供することを特徴とする資料作成支援方法。
【発明の詳細な説明】
【技術分野】
【０００１】
本発明は、資料の作成を効率良く行うための資料作成支援方法と資料作成支援サーバに関する。
【背景技術】
【０００２】
従来、資料作成を支援する手段としては、作成した資料のデータファイルを蓄積し、その中から新規に作成しようとする資料に類似した資料をキーワードなどで検索、入手し、その資料の全体または一部を再利用する手段がある。また、特許文献１に記載のように、あらかじめ用意した文書パターンの中から作成目的や提出先等に応じて目的とする文書パターンを選択する定型文書作成装置がある。
【０００３】
【特許文献１】特開２０００−９９５０７号公報
【発明の開示】
【発明が解決しようとする課題】
【０００４】
上記従来技術は、キーワードなどで検索し入手した資料全体から再利用できる部分を探して利用することになる。しかし、再利用する部分が資料作成者の意図する内容と一致しない場合に、再利用できる部分を探し出すまでに多くの労力を必要とすることがある。
【０００５】
また、資料の部分的な再利用を容易にするため、再利用する資料の内容を意味のある単位で分解し、分類、整理しようとしても、そのつど、利用者がその内容を判断して分類する必要があった。このため、再利用できる資料を継続して充実させていくには運用の負担が大きく、困難であった。
【０００６】
本発明の目的は、従来技術の問題点に鑑み、文書作成が容易になり、かつ利用するたびに資料の構成を充実させ、資料作成の効率向上を図ることが可能な資料作成支援方法及び資料作成支援サーバを提供することにある。
【課題を解決するための手段】
【０００７】
上記目的を達成するため、本発明の資料作成支援サーバは資料作成者が容易に利用できる資料の構成要素を提示して組み立てる手段を用いてなる。また、新たに作成した資料の構成要素を再利用できる形式で蓄積する手段を用いてなる。
【０００８】
本発明の資料作成支援方法は、資料作成支援サーバが資料作成者の使用する資料作成用端末に情報を提供して資料作成を支援する資料作成支援方法であって、前記資料作成支援サーバが前記資料作成用端末に対し資料の構成を決定付ける条件の選択肢を提示し、その資料として記載すべき項目であるフレームワークと該フレームワークに対し資料の中味である実体の候補を格納したデータベースから、前記資料作成用端末で選択された条件に対応する前記フレームワークと前記実体を決定し、その結果をフレームワークとその実体を関連付けた文書構造を持つデータファイルとして前記資料作成用端末に提供することを特徴とする。
【０００９】
ここで、提供されたデータファイルを基に利用者が作成した資料ファイルを受信し、フレームワークと実体及びその関連付けの情報をもとに資料ファイルを分解、分類し、資料作成者が新たに作成、追加した部分を再利用できる形式でデータベースに蓄積することを特徴とする。
【００１０】
すなわち、前記文書構造を持つデータファイルが提示する実体に不足または修正が必要な場合に、資料作成者が修正した新たな実体を含めたデータファイルを前記資料作成用端末から前記資料作成支援サーバに送信し、該データファイルに保持されている文書構造を基に、資料作成者が修正した新たな実体を分類してデータベースに再利用可能に蓄積することを特徴とする。
【００１１】
これによれば、資料作成者に対し作成しようとする資料の最適なフレームワークと資料として意味のある纏まりである実体とを利用可能に提示する。また、資料作成者が作成した資料ファイルを資料作成支援サーバに送信し、フレームワークと実体、及びその関連付けの情報をもとに資料ファイルを分解、分類し、資料作成者が新たに作成、追加した部分を再利用できる形で蓄積する。これにより、内容を継続して充実させていくことを可能にし、資料作成の効率向上を図るものである。
【００１２】
さらに、資料作成支援サーバをインターネットなどにより広く運用することにより、フレームワークとその実体の販売を行うと共に、利用対象者を増やし、再利用できる資料の実体を更に充実させていくことを可能にする。
【発明の効果】
【００１３】
本発明によれば、資料作成者が容易に利用可能な資料の構成要素を入手して資料を完成させることが可能となる。また、新たに作成した資料の構成要素を更に再利用できる形で蓄積することにより、利用するほど資料の構成要素を充実させることが可能となる。これらにより、資料作成の効率向上を図る効果がある。
【発明を実施するための最良の形態】
【００１４】
以下、本発明の実施の形態について図面を参照しながら詳細に説明する。図１は本発明の一実施例を示す資料作成支援システムの構成図である。本資料作成支援システムは、資料作成を支援する資料作成支援サーバ１０１、資料作成者が使用する資料作成用端末１０２、１０３、及びこれらを結ぶネットワーク１０５から構成される。ネットワーク１０５は、通常インターネットなどの広域ネットワークを表すが、企業内のネットワークの場合もある。
【００１５】
資料作成用端末１０２、１０３は、資料作成支援サーバ１０１から提供される情報をもとに資料を作成、編集し、結果を資料作成支援サーバ１０１に送信する手段として利用される。資料作成支援サーバ１０１は、資料作成者の資料作成を適切に誘導する情報、資料として記載すべき項目を表すフレームワーク、及び資料作成を容易にするための再利用できる資料の実体を資料作成用端末１０２、１０３に対して提供する。
【００１６】
データベース１０４は、資料作成に関する情報として、資料のフレームワークを決定付ける条件に関する情報１０６、そのフレームワーク１０７、フレームワーク中で定義される記載項目に関する情報１０８、その記載項目に対応する実体の情報１０９、及び資料作成者を管理する情報１１０などを格納する。
【００１７】
次に、資料作成支援サーバ１０１の機能を説明する。資料作成者は、資料作成支援サーバ１０１の資料作成条件表示機能１１１から資料作成用端末１０２に対して提供される資料の種別や資料の性質を示す各種条件を入力する。資料候補生成機能１１２は、資料作成者が入力する資料の種別や資料の性質を示す各種条件をもとに、資料として作成すべき記載項目を示すフレームワークを有する。また、それぞれの記載項目に対してあらかじめ用意した、または過去の成果物から抽出した資料の実体とを含む資料ファイル１１５を有し、資料作成用端末１０２を介して資料作成者に提示する。詳細については図４等で後述する。
【００１８】
資料作成者は資料候補生成機能１１２により自動生成された資料ファイル１１５の内容が自分の意図と異なる場合、資料作成支援サーバ１０１の資料編集機能１１３を利用して他の実体と差し替えることができる。また、資料候補生成機能１１２が提示するフレームワークの記載項目に対応する実体がデータベース１０４に存在しない場合、あるいは差し替える実体候補にも自分の意図に合う実体が無い場合には、自分の意図に一番近いものを選択して編集する。あるいは、新たに実体を作成することもできる（１１７）。最終的な成果物となる資料ファイル１１６はネットワーク１０５を介して資料作成支援サーバ１０１に送付される。
【００１９】
資料作成支援サーバ１０１の資料登録機能１１４は、受信した資料ファイル１１６のフレームワーク情報と実体、及び関連付けの情報をもとに、各実体をフレームワークで定義されている記載項目毎に分解、分類し、資料作成者が新たに作成、追加した部分を再利用できる形でデータベース１０４に格納する。これらを繰り返すことにより、再利用できる実体が充実していくと共に、体系付けて管理、蓄積されるため、資料として意味のある纏まりで実体を再利用することが可能となり、資料作成者は資料作成の効率向上を図ることができる。
【００２０】
図２は提案資料を具体例にしたときのフレームワーク、記載項目、実体の関係を示す説明図である。提案資料２０１は本発明により自動生成された文書ファイルである。図に示すように、フレームワーク２０２とフレームワークで定義された記載項目に対応する実体を関連付けた文書構造をもつ。
【００２１】
記載項目とは、今回の提案資料として記載すべき「表紙」、「目次」、「機能」、「特徴」など提案資料を構成する要素のことである。また、実体は各記載項目に対応する文書データそのものである。各実体は実体候補２０３の中からそれぞれ予め定義された割付け優先順位、または利用頻度などから最適な実体を決定して割付けられる。このとき、実体候補２０３に該当する実体がない場合は、利用者が新たに、その実体２０４を作成する。
【００２２】
新たに作成された実体２０４は、資料ファイルに含まれるフレームワークと実体の関連付け情報を基に、新たな実体候補２０５としてデータベース１０４に格納される。新たに格納された実体２０５は、次回からその記載項目に対応する実体候補として再利用することが可能となる。
【００２３】
次に、本資料作成支援システムの動作を説明する。図３は資料作成者が資料を完成させるまでの資料作成者の操作と資料作成支援サーバの動作を説明するフロー図である。資料作成者は本発明の資料作成支援システムのシステムログイン画面を起動する。図７にシステムログイン画面を示す。システムログイン画面は資料作成者ＩＤ、パスワードの入力欄とログインボタンをもつ。
【００２４】
資料作成者は、資料作成支援システムの運用者から予め通知された資料作成者ＩＤとパスワードを入力する（Ｓ３０１）。資料作成支援サーバ１０１は資料作成者が入力した資料作成者ＩＤ、パスワードを資料作成者情報テーブル１１０（Ｔ１６４）で検証し、正しい場合はサービスメニュー画面を表示する（Ｓ３１０、Ｓ３１２）。正しくない場合はエラーメッセージを表示し、システムログイン画面に戻る（Ｓ３１１）。
【００２５】
図８にサービスメニュー画面を示す。サービスメニュー画面はメニューに資料作成と資料格納をもつ。
【００２６】
資料作成者はサービスメニューの画面上で、資料作成を指定すると（Ｓ３０２）、資料作成支援サーバは資料作成条件入力画面を表示する（Ｓ３１３）。
【００２７】
図９に資料作成条件入力画面を示す。入力画面は条件１、条件２などの入力欄と、実行ボタンをもつ。条件１は資料の種別、条件２は資料の性質などが選択、入力される。
【００２８】
資料作成者は資料作成条件として、作成しようとする資料の種別、その資料の性質など最も適切な条件を選択し実行ボタンを押す（Ｓ３０３、Ｓ３０４）。これを受けて、資料作成支援サーバは、資料フレームワーク表示画面を表示する（Ｓ３１４）。
【００２９】
図１０に資料フレームワーク表示画面を示す。資料フレームワーク表示画面は資料として作成すべき記載項目を示すフレームワークと、資料を作成する上でのポイントを内容として持つ。ここでは、資料作成者から選択された条件を基に、資料として作成すべき記載項目を示すフレームワークと資料を作成する上でのポイントを表示する（Ｓ３１４）。
【００３０】
資料作成者はフレームワーク表示画面上で、フレームワークが示す記載項目の中で内容を確認したい記載項目を指定する（Ｓ３０５）。これを受けて、資料作成支援サーバは資料実体選択画面を表示する（Ｓ３１５）。
【００３１】
図１１に資料実体選択画面を示す。この資料実体選択画面では、記載項目に対して資料作成支援サーバが実体の利用回数などをもとに最適と判断して割り当てた実体を示すとともに、割当ての候補となる実体の一覧を表示する。
【００３２】
資料作成者は、資料作成支援サーバが最適として判断した実体が自分の意図に合わない場合には、この候補の一覧から資料作成者の意図に合う実体を選択することができる（Ｓ３０６）。このとき、実体の内容を実際に表示して確認することも可能である。資料作成者は、必要に応じてこの操作を繰り返し、資料作成者の意図に合う資料を組み立て、終了後実行ボタンを押す（Ｓ３０７）。
【００３３】
資料作成支援サーバ１０１は、フレームワークと資料作成者に指定された実体の情報をもとに資料ファイルを生成する（Ｓ３１６）。生成後は資料作成者が資料作成用端末１０２からダウンロードできる形にして資料ダウンロード画面を表示し、資料作成者のダウンロード操作を促す（Ｓ３１７）。図１２に資料ダウンロード画面を示す。
【００３４】
資料作成者はダウンロードボタンを押すことにより、ネットワークを介して資料作成用端末１０２に資料ファイルをダウンロードすることができる（Ｓ３０８）。このとき、ダウンロードした資料ファイルには、フレームワークの情報と各記載項目に対応する実体、及びその関連付けを示す情報が含まれている。
【００３５】
資料作成者はダウンロードした資料ファイルをもとに資料を仕上げる。このとき、資料ファイルに利用できる実体が含まれていない場合、及び割付けられた実体が意図しているものと異なる場合には、新たに作成、編集を行い、資料作成者の意図する資料に仕上げる（Ｓ３０９）。
【００３６】
図４は、資料作成条件入力画面表示（Ｓ３１３）から資料フレームワーク表示（Ｓ３１４）までの動作を更に詳しく説明するフローである。資料作成支援サーバ１０１は資料作成者に選択させる資料作成条件の条件１をデータベースの条件１テーブルから抽出し、その候補をプルダウンメニューで表示する（Ｓ４０４）。
【００３７】
図１５に条件テーブルを示す。データベース１０４の資料作成条件情報ファイル１０６には、条件テーブル１：Ｔ１５１、条件テーブル２：Ｔ１５２，条件テーブル３：Ｔ１５３を格納している。フレームワークテーブルＴ１５４はフレームワーク情報ファイル１０７に格納している。
【００３８】
条件テーブル１は主に提案書、企画書など作成しようとする資料の種別を示す。資料作成者はこの中から作成しようとする資料に最も近い条件を条件１として選択する（Ｓ４０１）。資料作成支援サーバは、指定された条件１の情報をもとに、更に詳細の条件２をデータベースの条件テーブル２（Ｔ１５２）から抽出し、その候補をプルダウンメニューで表示する（Ｓ４０５）。
【００３９】
条件テーブル２は条件１で示した資料の性格を示す。たとえば条件１が提案書の場合は、条件２は概略提案か、詳細提案かなどである。資料作成者は、この中から作成しようとする資料に最も近い条件を条件２として選択する（Ｓ４０２）。資料作成支援サーバは、指定された条件２の情報をもとに更に詳細の条件３をデータベースの条件テーブル３（Ｔ１５３）から抽出し、その候補をプルダウンメニューで表示する（Ｓ４０６）。
【００４０】
条件テーブル３は、条件１で示した資料の性質と資料作成上のポイントを示す。たとえば提案の重点は価格重視か機能重視かなどである。資料作成者はこの中から作成しようとする資料に最も近い条件を条件３として選択する（Ｓ４０３）。
【００４１】
なお、資料作成者に選択させる条件の数は作成しようとする資料により異なることがある。資料作成支援サーバは指定された条件１、条件２、条件３から今回作成すべき資料のフレームワークをデータベース１０４のフレームワークテーブルＴ１５４から抽出する（Ｓ４０７）。更にフレームワークの中で定義されている記載項目ごとに、その記載項目の実体をデータベースの記載項目テーブルＴ１６１、実体テーブルＴ１６３、記載項目・実体対応テーブルＴ１６２を参照して割付ける（Ｓ４０８，Ｓ４０９）。
【００４２】
図１６に、記載項目テーブル、記載項目・実体対応テーブル、実体テーブル及び資料作成者情報テーブルの構成を示す。記載項目テーブルＴ１６１には記載項目ＩＤごとに、記載項目名称と作成上のポイントが格納されている。実体テーブルＴ１６３は実体ＩＤごとに、実体名称、公開区分、利用回数、実体データが格納されている。記載項目・実体対応テーブルＴ１６２は記載項目ＩＤと実体ＩＤが対応されている。
【００４３】
このとき、実体はその記載項目に対応する実体の中で最も利用回数が多いものを割付ける（Ｓ４１０）。この利用回数は実体が利用されるたびに１ずつ増加される。なお、実体の選択方法として利用回数が多いものを割付ける他に、新しいもの、評価の高いもの、過去の経験上最も適していると定義したもの、及びこれらの組合せなどを予め設定することができる。これを記載項目分だけ繰り返し（Ｓ４１１）、フレームワークで定義された記載項目全てについて実体を割付け、その結果を資料作成用端末に表示する（Ｓ４１２）。
【００４４】
但し、資料作成支援システムの初期段階などで、フレームワークで定義された記載項目に対する適当な実体が無い場合もある。その場合は空欄とし、空欄の部分については資料作成者が新たに作成する。なお、資料作成者に選択させる条件と、条件に対応するフレームワーク、資料作成者に提示する資料作成上のポイント、初期状態における記載項目とその代表的な実体等は、過去の成果物や有識者のノウハウなどをもとに、システム運用者が登録ツールにより予め登録しておく。
【００４５】
図５は資料作成者が作成した資料を資料作成支援サーバに送信するまでの資料作成者の操作と資料作成支援サーバの動作を説明するフロー図である。資料作成者は資料作成支援サーバのシステムログイン画面を起動する。
【００４６】
資料作成者は、資料作成支援システムの運用者から予め通知された資料作成者ＩＤとパスワードを入力する（Ｓ５０１）。資料作成支援サーバ１０１は資料作成者が入力した資料作成者ＩＤ、パスワードを資料作成者情報テーブルＴ１６４で検証し、正しい場合はサービスメニュー画面を表示する（Ｓ５０７、Ｓ５０９）。正しくない場合はエラーメッセージを表示し、システムログイン画面に戻る（Ｓ５０８）。
【００４７】
資料作成者はサービスメニュー画面上で、資料格納を指定する（Ｓ５０２）。これを受けて、資料作成支援サーバは資料アップロード画面を表示する（Ｓ５１０）。
【００４８】
図１３に資料アップロード画面を示す。資料アップロード画面はアップロードした資料を指定して実行する内容をもつ。
【００４９】
資料作成者は参照ボタンを押し、資料作成用端末上で作成した資料ファイルを指定し（Ｓ５０３）実行ボタンを押す（Ｓ５０４）。資料ファイルは資料作成用端末からネットワークを介して資料作成支援サーバ１０１に送信される。
【００５０】
資料作成支援サーバ１０１は、受信した資料ファイルに含まれるフレームワーク情報、及びフレームワークで定義された各記載項目に割付けられた実体の情報をもとに、資料公開／非公開指定画面を表示する（Ｓ５１１）。
【００５１】
図１４に資料公開／非公開指定画面を示す。資料公開／非公開指定画面は各記載項目に対し、第三者に公開するか、公開しないかを選択する内容をもつ。
【００５２】
資料作成者は表示された各記載項目に対し、第三者に公開するか、公開しないかを選択し（Ｓ５０５）、実行ボタンを押す（Ｓ５０６）。このとき、公開／非公開の範囲は、企業の社内利用、及びインターネットを利用した資料作成支援サービスなどの運用方法に合わせて定義できる。
【００５３】
資料作成支援サーバは、受信した資料ファイルに含まれるフレームワーク情報、各記載項目に割付けられた実体の情報、及びそれらを関連付ける情報をもとに、資料ファイルを分解し、新たに追加、編集された実体をデータベースの中に格納する（Ｓ５１２）。更に、その結果を資料作成用端末に表示する（Ｓ５１３）。このとき、資料作成者によって指定された資料の公開、非公開選択の情報もその実体の属性として設定される。
【００５４】
図６は資料構成要素の分解、分類、格納（Ｓ５１２）の動作を更に詳しく説明したフローである。資料作成用端末からネットワークを介して資料作成支援サーバに送信された資料ファイルには、フレームワーク情報と各記載項目に対応する実体、及びその関連付けを示す情報が含まれており、それらの情報を抽出する（Ｓ６０１）。
【００５５】
資料作成支援サーバは、抽出したフレームワークの中で定義された記載項目ごとに実体を精査（Ｓ６０３）し、新しく追加、または編集された実体を調べる（Ｓ６０４）。実体が新しく追加、または編集されたものである場合は、該当する記載項目に関連付けてデータベースの実体テーブルと記載項目・実体対応テーブルＴ１６３、Ｔ１６２に格納する（Ｓ６０５）。このとき、資料作成者が指定した公開、非公開の属性を実体テーブルＴ１６３の公開区分に設定する。これをフレームワークで定義された記載項目分繰り返す（Ｓ６０６）。 
以上に説明した本実施例の資料作成支援システムは、運用会社が事業として資料作成支援サーバを持ち、インターネットを介して広くサービスを提供することが可能で有る。また、各企業の社内で運用することもできる。
【００５６】
すなわち、資料作成支援サーバ１０１と資料作成者が使用する複数の資料作成用端末１０２，１０３をネットワーク１０５で結び、資料作成支援サーバ１０１から資料作成者に情報を提供して資料作成を支援する。資料作成支援サーバ１０１は要望のある資料作成者からＩＤ、パスワードにより資料作成用端末１０２（１０３）からログインを受け付ける。そして、上記の資料作成支援サーバによる条件の提示や、フレームワークとその実体を関連付けた文書構造を持つデータファイルを資料作成用端末に提供する。提供に際し、資料作成者に対し利用料金を課金するようにしてもよい。また、資料作成者が選択または修正したデータファイルを資料作成用端末１０２（１０３）から受信し、新たな実体を分類してデータベースに再利用可能に蓄積した場合には、利用料金を減額するようにしてもよい。
【図面の簡単な説明】
【００５７】
【図１】本発明の一実施例を示す資料作成支援システムの構成図。
【図２】具体的提案資料によるフレームワーク、記載項目、実体の関係を示す説明図。
【図３】資料作成支援システムの資料作成の動作を示すフローチャート。
【図４】資料作成条件をもとに資料のフレームワークを決定する動作を示すフローチャート。
【図５】作成した資料を資料作成支援サーバに格納する動作を示すフローチャート。
【図６】作成した資料を資料作成支援サーバに格納する動作の詳細を示すフローチャート。
【図７】システムログインの表示画面。
【図８】サービスメニューの表示画面。
【図９】資料作成条件入力の表示画面。
【図１０】資料フレームワークの表示画面。
【図１１】資料実体選択の表示画面。
【図１２】資料ダウンロードの表示画面。
【図１３】資料アップロードの表示画面。
【図１４】資料公開／非公開指定の表示画面。
【図１５】データベースのテーブルの一例を示す説明図。
【図１６】データベースのテーブルの他の例を示す説明図。
【符号の説明】
【００５８】
１０１…資料作成支援サーバ、１０２…資料作成用端末、１０３…資料作成用端末、１０４…データベース、１０５…ネットワーク、１０６…資料作成条件情報、１０７…フレームワーク情報、１０８…記載項目情報、１０９…実体情報、１１０…資料作成者情報、１１１…資料作成条件表示機能、１１２…資料候補生成機能、１１３…資料編集機能、１１４…資料登録機能、１１５，１１６…資料ファイル。
【図１】
2006190142.tif 000003
【図２】
2006190142.tif 000004
【図３】
2006190142.tif 000005
【図４】
2006190142.tif 000006
【図５】
2006190142.tif 000007
【図６】
2006190142.tif 000008
【図７】
2006190142.tif 000009
【図８】
2006190142.tif 000010
【図９】
2006190142.tif 000011
【図１０】
2006190142.tif 000012
【図１１】
2006190142.tif 000013
【図１２】
2006190142.tif 000014
【図１３】
2006190142.tif 000015
【図１４】
2006190142.tif 000016
【図１５】
2006190142.tif 000017
【図１６】
2006190142.tif 000018